(57)【要約】【課題】フォーカスサーチ時に高反射率の光ディスクと低反射率の光ディスクとの判別を精度良く行うことができる光ディスク記録再生装置を提供する。【解決手段】光ディスクが挿入された後、光ピックアップが光ディスクに対してフォーカスサーチを行っている時に、光ピックアップの出力信号に基づいて得られた全加算信号のレベルとＲＦ信号の振幅とが測定され、測定された全加算信号のレベルにＲＦ信号の振幅が加算され、ディスク判別用の判定値が算出される。前記算出された判定値が所定の閾値以上であると判定されたとき、挿入された光ディスクは高反射率ディスクであると判定され、前記判定値が所定の閾値未満であると判定されたとき、挿入された光ディスクは低反射率ディスクであると判定される。これにより、フォーカスサーチ時に高反射率の光ディスクと低反射率の光ディスクとの判別を精度良く行うことができる。【選択図】図３
2008305502.tif 000002
【特許請求の範囲】
【請求項１】
光ディスクに対して情報を記録したり、光ディスクに記録された情報を再生したりする光ディスク記録再生装置において、
光ディスクが挿入された後、光ピックアップが光ディスクに対してフォーカスサーチを行っている時に、光ピックアップの出力信号に基づいて得られた全加算信号のレベルとＲＦ信号の振幅とを測定する信号測定手段と、
前記測定された全加算信号のレベルにＲＦ信号の振幅を加算してディスク判別用の判定値を算出する判定値算出手段と、
前記算出された判定値が所定の閾値以上であるか否かを判定する判定値判定手段と、
前記判定値が所定の閾値以上であると判定されたとき、前記挿入された光ディスクは高反射率ディスクであると判定し、前記判定値が所定の閾値未満であると判定されたとき、前記挿入された光ディスクは低反射率ディスクであると判定するディスク判定手段と、を備えたことを特徴とする光ディスク記録再生装置。
【請求項２】
前記全加算信号は、光ピックアップにおける４分割の光検出領域を有する光検出器より出力された各検出信号から低周波成分を取り出して平均して得た信号であることを特徴とする請求項１に記載の光ディスク記録再生装置。
【請求項３】
前記ＲＦ信号の振幅は、光ピックアップにおける４分割の光検出領域を有する光検出器の各検出信号を合成し検波して得た振幅であることを特徴とする請求項１に記載の光ディスク記録再生装置。
【発明の詳細な説明】
【技術分野】
【０００１】
本発明は、光ディスクに対して情報を記録したり、光ディスクに記録された情報を再生したりする光ディスク記録再生装置に関し、特に、挿入された光ディスクの種類を判別するディスク判別機能に関する。
【背景技術】
【０００２】
従来から、ＤＶＤ（Digital Versatile Disc）などの光ディスクに情報を記録し、また、光ディスクに記録された情報を再生する光ディスク記録再生装置が普及している。ＤＶＤには、データの読み出しのみ可能なＤＶＤ−ＲＯＭ、１回だけデータの書き込みが可能なＤＶＤ−Ｒ（Recordable）、データの書き換えが可能なＤＶＤ−ＲＷ（Re-Writable）などの光ディスクが存在する。このような光ディスクは、種類毎にレーザ光に対する反射率が大きく異なるため、光ディスク記録再生装置では、光ディスクが挿入されると、その種類を判別し、その種類の光ディスクに最適な出力のレーザ光を照射してデータの書き込み、または読み出しを行うように構成されている。
【０００３】
ところで、従来の光ディスク記録再生装置では、光ディスクの種類の判別を行う処理は、光ディスクが挿入された後、光ピックアップから出射されるレーザ光による光スポットが光ディスクのトラックに対して焦点が合うようにフォーカスオンさせるまでの動作であるフォーカスサーチを行っている時に、光ピックアップからの出力信号に基づいて得られた全加算信号のレベルを測定し、この全加算信号のレベルをディスク判別用の判定値とし、この判定値が所定の閾値以上であれば、挿入されている光ディスクは高反射率ディスク（Ｒ系の光ディスク）であると判定し、その判定値が所定の閾値未満であれば、挿入されている光ディスクは低反射率ディスク（ＲＷ系の光ディスク）であると判定している。
【特許文献１】特開２００４−１７１６１４号公報
【特許文献２】特開２００６−３１７７９号公報
【特許文献３】特開２００５−３０２０８３号公報
【発明の開示】
【発明が解決しようとする課題】
【０００４】
しかしながら、前述したようなＤＶＤ−Ｒの光ディスクやＤＶＤ−ＲＷの光ディスクなどの書き込み系ディスクにおいては、Ｒ系記録済みの光ディスク（高反射率ディスク）とＲＷ系未記録の光ディスク（低反射率ディスク）とで、反射率が接近してしまうため、ディスク判別の精度が劣ることになる。例えば、高反射率の光ディスクでも記録済みの場合、平均的な反射率が低下するため、フォーカスサーチ時に取得した全加算信号のレベルも低下するので、この場合、その全加算信号のレベルが低反射率の光ディスクの未記録時における全加算信号のレベルに近づき、ディスク判別用の閾値にも余裕が無くなって、ディスク判別の精度が低下することになる。即ち、従来の光ディスク記録再生装置では、全加算信号のみでディスク判別を行っているので、同じ種類の光ディスクにおいても、記録済み状態または未記録状態でフォーカスサーチ時に取得したディスク判別用の判定値にバラツキが生じ、ディスク判別用の閾値に余裕が無くなって、ディスク判別の精度が劣ると言う課題があった。
【０００５】
なお、特許文献１の従来技術では、フォーカスオンした後、光ディスクからの反射光を受光した光ピックアップの光検出器から出力された再生信号のＤＣレベルと予め設定された閾値との比較により光ディスクの反射率を測定し、この測定された反射率を上側閾値および下側閾値と比較してディスク判別を行うようにしている。ところが、反射率が異なる光ディスクからの反射光を光検出器で受光する場合、フォーカスオンする前に、反射率に応じて光検出器のゲインを切り換えなければならないが、この従来技術では、フォーカスオンする前のフォーカスサーチ時に、ディスク判別を行うことができないので、光検出器のゲインを適切に設定できず、このため光検出器から出力される再生信号の精度が劣る場合があり、この結果、ディスク判別の精度も低下すると言う課題が生じる。
【０００６】
特許文献２の従来技術では、ＲＰＰ信号の振幅値と閾値との比較により、例えば、ＤＶＤ±ＲとＤＶＤ±ＲＷとのディスク判別を行っているが、当該光ディスクが、記録済みの光ディスクである場合と、未記録の光ディスクである場合とでは、前述したように、同じ光ディスクでも反射率が異なるので、このような場合にディスク判別の精度が劣ると言う課題が生じる。
【０００７】
特許文献３の従来技術では、装填された光ディスクの記録面にレーザ光を発光強度を変えながら複数回照射し、その反射光を受光して、反射レベルのバラツキ、反射レベルの大きさ、およびレーザ光の発光強度に対する反射レベルの変化の傾向から、装填された光ディスクの種類および既記録ディスクであるか未記録ディスクであるかのディスク判別を行うようにしているが、フォーカスオン前に、何回もフォーカスサーチを行うので、ディスク判別に時間がかかり、また、反射レベルのバラツキから、記録可能な光ディスクにデータが記録されているか否かを判定しているが、反射レベルのバラツキが各種の光ディスクについて必ずしもそれぞれ一定であるとは言えないし、また、バラツキは、あくまでもバラツキであるので、バラツキを基準にしてディスク判別を行っても、ディスク判別の精度は向上しないと言える。
【０００８】
本発明は、上記のような課題を解決するためになされたもので、フォーカスサーチ時に高反射率の光ディスクと低反射率の光ディスクとの判別を精度良く行うことができる光ディスク記録再生装置を提供することを目的とする。
【課題を解決するための手段】
【０００９】
上記目的を達成するために、請求項１の発明は、光ディスクが挿入された後、光ピックアップが光ディスクに対してフォーカスサーチを行っている時に、光ピックアップからの出力信号に基づいて得られた全加算信号のレベルとＲＦ信号の振幅とを測定する信号測定手段と、前記測定された全加算信号のレベルにＲＦ信号の振幅を加算してディスク判別用の判定値を算出する判定値算出手段と、前記算出された判定値が所定の閾値以上であるか否かを判定する判定値判定手段と、前記判定値が所定の閾値以上であると判定されたとき、前記挿入された光ディスクは高反射率ディスクであると判定し、前記判定値が所定の閾値未満であると判定されたとき、前記挿入された光ディスクは低反射率ディスクであると判定するディスク判定手段と、を備えたことを特徴とする光ディスク記録再生装置を提供する。
【００１０】
この構成においては、光ディスクが挿入された後、光ピックアップが光ディスクに対してフォーカスサーチを行っている時に、光ピックアップの出力信号に基づいて得られた全加算信号のレベルとＲＦ信号の振幅とが測定され、測定された全加算信号のレベルにＲＦ信号の振幅が加算され、ディスク判別用の判定値が算出される。前記算出された判定値が所定の閾値以上であると判定されたとき、前記挿入された光ディスクは高反射率ディスクであると判定され、前記判定値が所定の閾値未満であると判定されたとき、前記挿入された光ディスクは低反射率ディスクであると判定される。
【００１１】
この構成によれば、全加算信号のレベルにＲＦ信号の振幅が加算されたディスク判別用の判定値を用いることができるので、フォーカスサーチ時に高反射率の光ディスクと低反射率の光ディスクとの判別を精度良くでき、これにより、ディスクマウント時間のバラツキを軽減でき、装置としては時間的に安定した立ち上がりを行うことができる。
【００１２】
請求項２の発明では、請求項１の発明において、前記全加算信号は、光ピックアップにおける４分割の光検出領域を有する光検出器より出力された各検出信号から低周波成分を取り出して平均して得た信号であるので、光ディスクからの反射光の平均的なレベルを全加算信号として検出することができる。
【００１３】
請求項３の発明では、請求項１の発明において、前記ＲＦ信号の振幅は、光ピックアップにおける４分割の光検出領域を有する光検出器の各検出信号を合成し検波して得た振幅であるので、このＲＦ信号の振幅を全加算信号のレベルに上乗せすれば、未記録の光ディスクにおけるディスク判別用の判定値と同じ位の判定値を得ることができる。
【発明の効果】
【００１４】
以上のように本発明によれば、全加算信号のレベルにＲＦ信号の振幅が加算されたディスク判別用の判定値を用いることができるので、フォーカスサーチ時に高反射率の光ディスクと低反射率の光ディスクとの判別を精度良くでき、これにより、ディスクマウント時間のバラツキを軽減でき、装置としては時間的に安定した立ち上がりを行うことができる。
【発明を実施するための最良の形態】
【００１５】
以下、添付図面を参照しつつ、本発明の実施の形態について説明する。図１は本発明の一実施形態に係る光ディスク記録再生装置を示すブロック図である。
【００１６】
図１において、光ディスク記録再生装置は、エンコーダ１、変調回路２、レーザ駆動回路３、レーザパワー調整回路４、光ピックアップ５、信号生成回路６、復調回路７、デコーダ８、サーボ回路９、スピンドルモータ１２、およびシステムコントローラ１０を含み構成されている。
【００１７】
エンコーダ１は、入力された記録データに対して誤り訂正符号の付加などのエンコード処理を施し、エンコード処理された記録データを変調回路２に入力する。変調回路２は、入力された記録データに所定の変調を施し、更に記録信号を生成してレーザ駆動回路３に出力する。レーザ駆動回路３は、記録時には変調回路２からの記録信号に応じた駆動信号を、ＣＤ用（赤外光；波長７８０ｎｍ）、ＤＶＤ用（赤光；波長６５０ｎｍ）、ＨＤ・ＤＶＤ用（青紫光；波長４０５ｎｍ）のうち対応するレーザダイオード５１に出力し、再生時には一定強度のレーザ光を出射するための駆動信号を、対応するレーザダイオード５１に出力する。レーザダイオード５１から出力されるレーザパワーは、レーザパワー調整回路４によって調整・設定される。
【００１８】
レーザパワー調整回路４は、システムコントローラ１０からの指令に応じてレーザパワーを設定・調整する。なお、ディスク判別処理時には、ＨＤ・ＤＶＤ用のレーザダイオード５１に再生パワーレベルのレーザ光を出力させるように調整する。光ピックアップ５は、レーザダイオード５１および光検出器５２を備え、更に、トラックに対するレーザ光の照射状態を調整するための図示しない対物レンズ用アクチュエータと、レーザダイオード５１から出射されたレーザ光を対物レンズに導き、且つ光ディスク１１からの反射光を光検出器５２に導くための図示しない光学系などを備えている。
【００１９】
なお、レーザダイオード５１は、それぞれＣＤ用（赤外光；波長７８０ｎｍ）、ＤＶＤ用（赤光；波長６５０ｎｍ）、ＨＤ・ＤＶＤ用（青紫光；波長４０５ｎｍ）のレーザ光を出射する３つのレーザダイオードから構成されている。また、光学系を構成する各構成要素のうち対物レンズは、ＨＤ・ＤＶＤ用レーザ光を適正に光ディスク１１上に収束させ得るように成っている。また、光学系には、ＤＶＤ用レーザ光とＣＤ用レーザ光を使用する際に生じる収差を抑制するための収差補正素子（回折素子、位相補正素子など）や、ＣＤ用レーザ光を使用する際に対物レンズに対する開口数を制限するための開口数制限素子（液晶シャッター、回折素子など）が含まれている。
【００２０】
信号生成回路６は、光ディスク１１のトラック方向軸と、このトラック方向軸に直交する軸とによって分割された４つの光検出領域を有する光検出器５２から受信した信号を増幅および演算処理して各種信号を生成し、この各種信号を対応する回路に出力する。即ち、信号生成回路６は、４つの光検出領域ａ，ｂ，ｃ，ｄからの各信号を合成してＲＦ信号を生成すると共に、光検出領域ａ，ｂ，ｃ，ｄからの各信号の低周波成分を取り出して平均して得た直流成分の信号Ａ，Ｂ，Ｃ，Ｄを加算した全加算信号ＡＢＣＤを生成する。また、信号生成回路６は、信号Ａ，Ｂ，Ｃ，Ｄから（Ａ＋Ｃ）−（Ｂ＋Ｄ）と言う演算を行ってフォーカスエラー信号、および信号Ａ，Ｂ，Ｃ，Ｄから（Ａ＋Ｄ）−（Ｂ＋Ｃ）と言う演算を行ってトラッキングエラー信号を生成する。
【００２１】
復調回路７は、信号生成回路６からのＲＦ信号を復調して再生データを生成し、デコーダ８に出力する。デコーダ８は、復調回路７からの再生データに対して誤り訂正などのデコード処理を施し、図示しない後段の回路に出力する。サーボ回路９は、信号生成回路６からのフォーカスエラー信号およびトラッキングエラー信号によりフォーカスサーボ信号およびトラッキングサーボ信号を生成し、光ピックアップ５の対物レンズ用アクチュエータに出力する。また、サーボ回路９は、信号生成回路６からの同期検出信号によりスピンドルモータ１２をサーボ制御する。
【００２２】
システムコントローラ１０は、各構成要素を制御するための処理を行うＣＰＵ（図示せず）、このＣＰＵの動作に必要なプログラムやデータを記憶したフラッシュメモリ（図示せず）、ＣＰＵの処理に必要なデータを一時的に格納するＲＡＭ（図示せず）などを備え、装置全体を制御する。本実施形態の特徴として、システムコントローラ１０は、光ディスク１１が挿入された後、光ピックアップ５が光ディスク１１に対してフォーカスサーチを行っている時に、光ピックアップ５からの全加算信号ＡＢＣＤのレベルおよびＲＦ信号の振幅を測定する信号測定手段と、前記測定された全加算信号ＡＢＣＤのレベルとＲＦ信号の振幅を加算してディスク判別用の判定値を算出する判定値算出手段と、前記算出された判定値が所定の閾値以上であるか否かを判定する判定値判定手段と、前記判定値が所定の閾値以上であると判定されたとき、前記挿入された光ディスク１１は高反射率ディスク（Ｒ系の光ディスク）であると判定し、前記判定値が所定の閾値未満であると判定されたとき、前記挿入された光ディスク１１は低反射率ディスク（ＲＷ系の光ディスク）であると判定するディスク判定手段とを有する。
【００２３】
図２は、全加算信号のレベルのみの差でディスク判別を行う場合と、本実施形態のように全加算信号のレベルにＲＦ信号の振幅を上乗せした信号の差でディスク判別を行う場合を説明するための図である。
【００２４】
図２において、Ｌ１はＲ系の未記録の光ディスクから読み出された信号による全加算信号のレベルを示し、Ｌ２はＲ系の記録済みの光ディスクから読み出された信号による全加算信号のレベルを示す。Ｌ３はＲ系の記録済みの光ディスクから読み出された信号による全加算信号のレベルＬ２にＲＦ信号の振幅を上乗せしたレベルを示す。Ｌ４はＲＷ系の未記録の光ディスクから読み出された信号による全加算信号のレベルを示し、Ｌ５はＲＷ系の記録済みの光ディスクから読み出された信号による全加算信号のレベルを示す。Ｌ６はＲＷ系の記録済みの光ディスクから読み出された信号による全加算信号のレベルＬ５にＲＦ信号の振幅を上乗せしたレベルを示す。なお、ＲＷ系の記録済みの光ディスクについても、全加算信号のレベルにＲＦ信号の振幅を上乗せしているが、これはディスク判別用の判定値に対する閾値が、一定のレベルに設定できるようになるし、ディスク判別時にディスクの種類に拘わらず、全加算信号のレベルにＲＦ信号の振幅を上乗せする処理を行っているので、当然ながらＲＷ系の記録済みの光ディスクについても、全加算信号のレベルにＲＦ信号の振幅が上乗せされる。
【００２５】
また、Ｌ７はＲ系の未記録の光ディスクから読み出された信号による全加算信号のレベルＬ１とＲＷ系の未記録の光ディスクから読み出された信号による全加算信号のレベルＬ４とのレベル差を示す。Ｌ８はＲ系の記録済みの光ディスクから読み出された信号による全加算信号のレベルＬ２とＲＷ系の未記録の光ディスクから読み出された信号による全加算信号のレベルＬ４とのレベル差を示す。Ｌ９はＲＷ系の未記録の光ディスクから読み出された信号による全加算信号のレベルＬ４とＲＷ系の記録済みの光ディスクから読み出された信号による全加算信号のレベルＬ５とのレベル差を示す。Ｌ１０は前述したレベルＬ３とレベルＬ４とのレベル差を示す。
【００２６】
Ｒ系の未記録の光ディスクとＲＷ系の未記録の光ディスクとを判別する場合には、十分にレベル差Ｌ７が有るので、ディスク判別を確実に行うことができるが、
Ｒ系の記録済みの光ディスクとＲＷ系の未記録の光ディスクとを判別する場合には、全加算信号だけのレベル差Ｌ８のようにレベル差が小さくなるので、ディスク判別をミスし易くなる。そこで、全加算信号のレベルにＲＦ信号の振幅を上乗せしたときのレベル差Ｌ１０にすると、Ｒ系の記録済みの光ディスクとＲＷ系の未記録の光ディスクとの判別を確実に行うことが可能になる。
【００２７】
図３は本実施形態においてディスク判別を行う処理を説明するためのフローチャートである。このフローチャートおよび図１、図２を参照してディスク判別を行う処理について説明する。
【００２８】
先ず、システムコントローラ１０は、光ディスク１１が装置に挿入されたことを検知すると（ステップＳ１）、ディスクマウントを開始させる（ステップＳ２）。ディスクマウントが開始すると、システムコントローラ１０は、レーザ駆動回路３を介して光ピックアップ５のレーザダイオード５１を駆動させる（ステップＳ３）。レーザダイオード５１が駆動された後、システムコントローラ１１は、光ピックアップ２のレーザダイオード５１から出射されるレーザ光による光スポットが光ディスク１のトラックに対して焦点が合うようにフォーカスオンさせるまでの動作であるフォーカスサーチを行う（ステップＳ４）。
【００２９】
このフォーカスサーチが行われている時に、システムコントローラ１０の信号測定手段は、光ピックアップ５の光検出器５２からの検出信号に基づいて得られた全加算信号ＡＢＣＤのレベルとＲＦ信号の振幅とを測定する（ステップＳ５）。即ち、信号測定手段は、信号生成回路６で生成された全加算信号ＡＢＣＤのレベルを測定すると共に、信号生成回路６で生成されたＲＦ信号を検波してＲＦ信号の振幅を測定する。次に、システムコントローラ１０の判定値算出手段は、前記算出された全加算信号ＡＢＣＤのレベルとＲＦ信号の振幅を加算してディスク判別用の判定値を算出する（ステップＳ６）。
【００３０】
この後、システムコントローラ１０の判定値判定手段は、前記算出された判定値が所定の閾値以上であるか否かを判定する（ステップＳ７）。即ち、判定値判定手段は、例えば、図２に示すように、全加算信号ＡＢＣＤのレベルとＲＦ信号の振幅とが加算されたレベルＬ３である判定値が、所定の閾値Ｅ以上であるか否かを判定する。前記レベルＬ３である判定値が所定の閾値Ｅ以上であると判定されたとき、前記挿入されている光ディスク１１の種類は高反射率ディスクであると判定される（ステップＳ８）。
【００３１】
なお、レベルＬ３と所定の閾値Ｅとを比較したが、レベルＬ１と所定の閾値Ｅとの比較においても同様である。Ｒ系未記録の光ディスクでは、データが記録されていないので、ＲＦ信号が検出されず、全加算信号ＡＢＣＤのレベルとＲＦ信号の振幅とを加算する処理を行っても、全加算信号ＡＢＣＤのみになり、判定値として用いられるレベルはレベルＬ１となる。
【００３２】
一方、前記レベルＬ３である判定値が所定の閾値Ｅ未満であると判定されたとき、前記挿入されている光ディスク１１の種類は低反射率ディスクであると判定される（ステップＳ９）。例えば、図２に示すように、ＲＷ系未記録の光ディスクに対するレベルＬ４およびＲＷ系記録済みの光ディスクに対するレベルＬ６は、所定の閾値Ｅ未満であるので、前記挿入されている光ディスク１１の種類は低反射率ディスクであると判定される。
【００３３】
以上説明したように本実施形態によれば、全加算信号ＡＢＣＤのレベルにＲＦ信号の振幅が加算されたディスク判別用の判定値を用いることができるので、フォーカスサーチ時に高反射率の光ディスクと低反射率の光ディスクとの判別を精度良くでき、これにより、ディスクマウント時間のバラツキを軽減でき、装置としては時間的に安定した立ち上がりを行うことができる。また、反射率が異なる光ディスクからの反射光を光検出器５２で受光する場合、サーボ回路９によるフォーカスオンする前に、光ディスク１１の反射率に応じて光検出器５２のゲインを切り換えなければならないが、本実施形態では、フォーカスオンする前のフォーカスサーチ時に、ディスク判別を行うことができるので、フォーカスオン前に光検出器５２のゲインを適切に設定でき、光検出器５２から出力される検出信号の精度が上がり、この結果、ディスク判別の精度も向上する。
【産業上の利用可能性】
【００３４】
本発明は、光ディスク記録再生装置（ＤＶＤレコーダなど）のディスク判別機能に利用可能であり、高反射率の光ディスクと低反射率の光ディスクとの判別を精度良くできる。
【図面の簡単な説明】
【００３５】
【図１】本発明の一実施形態に係る光ディスク記録再生装置を示すブロック図である。
【図２】全加算信号のレベルのみの差でディスク判別を行う場合と、本実施形態のように全加算信号のレベルにＲＦ信号の振幅を上乗せした信号の差でディスク判別を行う場合を説明するための図である。
【図３】前記実施形態においてディスク判別を行う処理を説明するためのフローチャートである。
【符号の説明】
【００３６】
５    光ピックアップ
１０    システムコントローラ（信号測定手段、判定値算出手段、判定値判定手段、ディスク判定手段）
１１    光ディスク
５２    光検出器
【図１】
2008305502.tif 000003
【図２】
2008305502.tif 000004
【図３】
2008305502.tif 000005